(57)【要約】潜在的債務の管理方法が開示される。本方法は、加入者が係争中及び将来的な債務の支払いのため、ファンドに資金をプールすることを可能にし、他の運営費から債務の支払いのための資金を分離することを可能にする。【特許請求の範囲】
【請求項１】
債務を支払う方法であって、
会計期間の期中に、ファンドに払い込みを行うステップと、
前記会計期間の期中に、前記ファンドの加入者に対する債務を確定するステップと、
前記会計期間の期末に、前記確定された債務を前記ファンドから支払うステップと、
前記会計期間の期末に、前記ファンドにおけるファンド超過分を加入者に分配するステップと、
から構成されることを特徴とする方法。
【請求項２】
請求項１記載の方法であって、
前記ファンドの加入者は、前記会計期間の期初または期中に前記ファンドに払い込みを行うことを特徴とする方法。
【請求項３】
請求項１記載の方法であって、
前記加入者の各々は、会員を有することを特徴とする方法。
【請求項４】
請求項３記載の方法であって、
前記確定された債務は、１以上の会員に支払われることを特徴とする方法。
【請求項５】
請求項３記載の方法であって、
前記加入者の会員は、前記会計期間の期初または期中に、前記ファンドに払い込みを行う加入者に支払いを行うことを特徴とする方法。
【請求項６】
請求項１記載の方法であって、
前記加入者は、Ｈｅａｌｔｈ  Ｍａｉｎｔｅｎａｎｃｅ  Ｏｒｇａｎｉｚａｔｉｏｎであることを特徴とする方法。
【請求項７】
請求項１記載の方法であって、
前記加入者は、前記会計期間の期中に定期的に前記ファンドへの払い込みを行うことを特徴とする方法。
【請求項８】
請求項３記載の方法であって、
前記ファンドの各加入者は、前記会計期間の期初または期中において、前記加入者の会員数に応じた額を前記ファンドに払い込むことを特徴とする方法。
【請求項９】
請求項２記載の方法であって、
各加入者により前記ファンドに払い込まれる額は、前記加入者に対する以前の債務に依存しないことを特徴とする方法。
【請求項１０】
請求項１記載の方法であって、
前記ファンドから支払われる債務は、委員会により確定されることを特徴とする方法。
【請求項１１】
請求項１記載の方法であって、
前記加入者に対する確定された債務は、訴訟費用を含むことを特徴とする方法。
【請求項１２】
請求項１記載の方法であって、
前記会計期間の期中において、利子が前記ファンドに生じることを特徴とする方法。
【請求項１３】
請求項１２記載の方法であって、
前記利子は、前記ファンドの維持費を賄うため利用されることを特徴とする方法。
【請求項１４】
債務を支払う方法であって、
ファンドを提供するステップと、
第１期間中に加入者が前記ファンドに払い込みを行うよう調整するステップと、
第２期間中に前記ファンドの加入者の確定された債務を前記ファンドから支払うステップと、
前記ファンドにおけるファンド超過分を加入者に分配するステップと、
から構成されることを特徴とする方法。
【請求項１５】
請求項１４記載の方法であって、
前記加入者の各々は、会員を有することを特徴とする方法。
【請求項１６】
請求項１５記載の方法であって、
前記確定された債務は、１以上の会員に支払われることを特徴とする方法。
【請求項１７】
請求項１４記載の方法であって、
前記加入者は、Ｈｅａｌｔｈ  Ｍａｉｎｔｅｎａｎｃｅ  Ｏｒｇａｎｉｚａｔｉｏｎであることを特徴とする方法。
【請求項１８】
請求項１５記載の方法であって、
前記加入者は、前記加入者の会員数に応じた額を前記ファンドに払い込むことを特徴とする方法。
【請求項１９】
請求項１４記載の方法であって、
前記加入者は、前記加入者に対する以前の債務に依存しない額を前記ファンドに払い込むことを特徴とする方法。
【請求項２０】
請求項１４記載の方法であって、
前記ファンドから支払われる債務は、委員会により確定されることを特徴とする方法。
【請求項２１】
請求項１４記載の方法であって、さらに、
前記第１期間と前記第２期間との間に、利子の支払いを受けるステップを有することを特徴とする方法。
【請求項２２】
請求項２１記載の方法であって、
前記利子は、前記ファンドの維持費を賄うため利用されることを特徴とする方法。
【発明の詳細な説明】
【発明の詳細な説明】
【０００１】
［発明の技術分野］
本発明は、潜在的債務の管理方法に関する。より詳細には、本方法は、係争中及び将来的な債務の支払いのため、加入者が自らの資金をプールすることを可能にする。
【０００２】
［発明の背景］
現在、多くの産業がそれらに対する潜在する膨大な再発する債務に直面している。例えば、タバコ産業は、喫煙による病気を補償するためすべての州と和解することにしている。
【０００３】
膨大な再発性の債務に直面する他の産業としては、ＨＭＯ（Ｈｅａｌｔｈ  Ｍａｉｎｔｅｎａｎｃｅ  Ｏｒｇａｎｉｚａｔｉｏｎ）産業があげられる。現在、議会は、マネージドケア（ｍａｎａｇｅｄ  ｃａｒｅ）提供者の潜在的債務を増大させるＰｂｏＲ（Ｐａｔｉｅｎｔ‘ｓ  Ｂｉｌｌ  ｏｆ  Ｒｉｇｈｔｓ）を議論しているところである。ＰｂｏＲが議会を通過することにより、ＨＭＯの支出は増大し、公衆に対するマネージドケアのコストを増大させる。ＰｂｏＲの結果としてマネージドケアのコスト増加に関するある推定では、１５％〜２５％の増加が示されている。このような高い推定は、価格上昇の一部のみがＰｂｏＲ関連コストを賄うものであるという事実によるものとすることができる。
【０００４】
ＨＭＯ産業では、産業及びウォールストリートの投資銀行家は、例えば、医師、病院及び製薬提供者に帰するコストを「医療損失レシオ（Ｍｅｄｉｃａｌ  Ｌｏｓｓ  Ｒａｔｉｏ）」と呼んでいる。実際、医療損失レシオは、ＨＭＯ会員ごとに徴収する金額に依存する。従って、ＰｂｏＲのコストを賄うため会員に対する料金をＨＭＯが引き上げる程、それに比例して治療提供者がＨＭＯに請求する価格を引き上げることとなりうる。このようにして、料金の引き上げの結果としてＨＭＯが受け取る金額の一部のみしか債務の支払いに利用することができない。従って、追加的債務を賄うのに必要とされるファンドがこの追加的な債務の支払いにさらに直接的に利用することを可能にする方法が必要とされる。
【０００５】
［発明の背景］
潜在的債務の管理方法が開示される。本方法は、債務を賄うためのファンドを提供する。本方法は、係争中及び将来的債務を賄うため、加入者による自身のファンドへの出資と、加入者による債務を賄うためのファンドと他の運営コストとの分離を可能にする。
【０００６】
一実施例では、本方法は、会計期間の期中にファンドへの払い込みを行うステップと、前記会計期間の期中に前記ファンドの加入者に対して債務を確定するステップと、前記会計期間の期末に前記確定された債務を前記ファンドから支払うステップとから構成される。前記会計期間の期末における前記ファンドの超過分は、前記確定された債務の支払い後、前記会計期間の期末に前記ファンドの加入者に分配される。
【０００７】
好ましくは、前記ファンドの加入者は、前記会計期間の期初または期中に前記ファンドに払い込む。好ましくは、前記加入者の各々は会員を有する。好ましくは、前記確定された債務が１以上の会員に支払われる。好ましくは、前記加入者の会員は、前記会計期間の期初または期中において前記ファンドに払い込みを行う前記加入者に支払いを行う。好ましくは、前記加入者はＨＭＯ（Ｈｅａｌｔｈ  Ｍａｉｎｔｅｎａｎｃｅ  Ｏｒｇａｎｉｚａｔｉｏｎ）から構成される。好ましくは、前記ファンドの各加入者は、前記会計期間の期初または期中に、前記加入者の会員数に応じた金額を前記ファンドに払い込むか、あるいは各加入者は定期的に前記ファンドへの払い込みを行う。
【０００８】
好ましくは、各加入者により前記ファンドに払い込まれる金額は、前記加入者に対する過去の債務に依存しない。好ましくは、委員会が前記ファンドから支払われる債務を確定する。好ましくは、加入者に対して前記確定された債務は訴訟費用を含む。好ましくは、前記会計期間の期中に、前記ファンドに利子が発生する。より好ましくは、前記発生した利子は、前記ファンドの維持費を賄うのに利用される。
【０００９】
他の実施例では、本方法は、ファンドを提供するステップと、第１期間の期中に加入者による前記ファンドへの払い込みを行うよう調整するステップと、第２期間の期中に前記ファンドの加入者の確定された債務を前記ファンドから支払うステップと、前記ファンドの超過分を加入者に分配するステップとから構成される。
【００１０】
本発明は、本発明の一実施例による添付されたフローチャートの図面と共に本発明の詳細な説明を参照することにより、より良く理解されるであろう。
【００１１】
［好適な実施例の詳細な説明］
本発明は、加入者の潜在的債務の管理方法である。本方法は、債務を賄うためのファンドを提供する。本方法は、係争中及び将来的債務を賄うため、加入者による自身のファンドへの出資と、加入者による債務を賄うためのファンドと他の運営コストとの分離を可能にする。
【００１２】
ファンド加入者は、共通のタイプの債務の脅威を共有する任意の主体から構成することができる。このような共通の脅威には、例えば、同業種に属する主体、共通のタイプの法律の下の債務にさらされている主体、あるいは共通のタイプの訴訟（集団代表訴訟など）における被告となる主体などがあげられる。
【００１３】
図は、本発明の一実施例を示すフロー図である。図は、単独のファンドサイクル１０２、１０４、１０６及び１０８を示す。好ましくは、このサイクルは繰り返される。好ましくは、各ファンドサイクルは、単独の会計期間を表す。
【００１４】
図において、ステップ１０２において、加入者は第１期間の期中にファンドへの払い込みを行う。第１期間の期中におけるファンドへの払い込みは、一括または月毎など定期的なものであってもよい。ファンドに払い込まれる金額は各加入者に対して同額であってもよいし、あるいは様々な要因に応じて可変とされてもよい。各加入者がファンドに払い込む金額の決定に利用可能な要因には、例えば、各加入者の相対的規模、各加入者の過去の債務、及び各加入者の予想される将来的債務などが含まれる。好ましくは、各加入者によりファンドに払い込まれる金額は、当該加入者の相対的規模だけでなく、当該加入者の過去の債務または予想される将来的債務に応じて可変とされる。ＨＭＯなどの加入者に対して、各加入者の規模は、当該加入者が有する会員数／顧客数としてもよい。例えば、各加入者は、当該加入者が代表する各会員に対して、所定の金額をファンドに支払うようにしてもよい。
【００１５】
加入者がファンドに払い込む日付は、ステップ１０４における加入者の債務の確定前の決められた日であるかもしれない。あるいは、加入者による払込日は、ステップ１０４における債務の確定、ステップ１０６における債務の払い出し、及びステップ１０８における超過分の分配前の加入者の変化を反映するようフレキシブルなものとされてもよい。このフレキシブルなアプローチでは、加入者は、第１期間１０２において初期的に、当該期間における加入者の規模を反映した金額をファンドに払い込むようにしてもよい。加入者の規模が増大した場合、すなわち、ステップ１０４における債務の確定、ステップ１０６における債務の払い出し、あるいはステップ１０８における超過分の分配以前に新たな会員の追加が生じた場合、当該加入者はこれらの変更を反映するよう追加金をファンドに支払うことが求められるかもしれない。
【００１６】
加入者がファンドへの払い込みを完了すると、ステップ１０４において加入者の債務を決定することができる。好ましくは、ファンドは、加入者の債務の支払いのためだけに設定される。このような債務には、例えば、特定のタイプの裁判所の判決、特定のタイプの行為に関する和解、及び／または特定の法律に関する行為などが含まれうる。債務の支払いを要求する主体は、すべての独立した審査／上訴プロセスを経るか、あるいは支払いのためファンドに債務を提出する前、加入者と和解に合意していることが好ましい。
【００１７】
好ましくは、ファンドは、ステップ１０４においてファンドから支払われる債務を確定する委員会を有する。この委員会は、どの債務がファンドから払い出されるべきか決定することができる。委員会は、例えば、当該債務がファンドにより賄われるべきものであるか判断してもよい。また、委員会は、債務額の公正性を判断してもよい。例えば、和解に対して、委員会は、和解金額の変更を選ぶかもしれない。委員会は、加入者の従業員から構成することもできるし、あるいは加入者とは別のものであってもよい。好ましくは、委員会のメンバーは、加入者により選択される。
【００１８】
支払われるべき債務が確定すると、第２期間１０６において、当該債務がファンドから払い出される。好ましくは、第２期間は、設定された会計期間の期末における所定の日時である。この設定された会計期間は、例えば、１年、半年または３ヶ月であってもよい。
【００１９】
第２期間１０６の期初または期末にすべての債務の払い出しが完了すると、ステップ１０８において、ファンドの超過分が加入者に分配される。この超過分は、当該ファンドの残りのすべての資産から構成されてもよいし、あるいは当該ファンドの一定額以上の資産から構成されてもよい。好ましくは、この超過額は、加入者に比例して分配される。例えば、超過額は、第１期間の期中における当該ファンドへの加入者のトータルの貢献分に比例して分配されてもよい。あるいは、超過分は、会計期間の期末における加入者の相対的規模に比例して分配されてもよい。
【００２０】
ステップ１０８において超過分が加入者に分配されると、当該プロセスは好ましくは、加入者によるファンドへの払い込みが行われるステップ１０２に戻る。ステップ１０８において、ファンドは、超過分のすべてを加入者に分配してもよいし、あるいは次のファンドサイクルにおける加入者のファンドへの払い込みに対する信用としてこの超過分が利用されてもよい。
【００２１】
好ましくは、ファンドの維持費は当該ファンドのフロート（ｆｌｏａｔ）（第２期間における支払い前の当該ファンドによる投資収入から生じた利子）から支払われる。例えば、フロートを用いてファンドマネージャの手数料などのファンド維持費を支払うことにより、加入者の債務の支払い及び／または加入者への払い戻しに、ファンドの元本の１００％を用いることができる。
【００２２】
ファンドの仕組みは、ＨＭＯ産業との関連において示すことができる。
【００２３】
ＨＭＯの例
本発明によるファンドは、早急な法的措置及び継続低な訴訟に直面する産業であるＨＭＯ産業に直接的に適用することができる。ＨＭＯ産業は、その緊急性が与えられると、不法行為がどのように改正されるか、どのような趣旨か、あるいは１以上の産業が当該産業にどのような影響を及ぼすかを示すのに利用されるモデルである。ファンド（ここで用いられる「ファンド」という用語は、本発明によるファンドをいう）は、ＨＭＯに追加的な収入を提供しながら、犠牲者に補償を行うために利用することができる。この追加的な収入は健康管理の消費者価格の低減に利用され、ＨＭＯの利潤を増大させながら、競争を激しくさせる。
【００２４】
従業員の福利厚生に特化したニューヨークのコンサルティング事務所であるＷｉｌｌｉａｍ  Ｍ．Ｍｅｒｃｅｒ  Ｉｎｃ．は、２０００年の一人当たりのＨＭＯの補償費用が３，７１３ドルあるいは月単位の一人当たりでは３０９．４２ドルであると判断した。患者がプラン外の保健専門家による処置を受けることが可能なＰＰＯ（Ｐｒｅｆｅｒｒｅｄ  Ｐｒｏｖｉｄｅｒ  Ｏｒｇａｎｉｚａｔｉｏｎ）は、年単位で一人当たり平均４，０３２ドルあるいは月単位で一人当たり平均３３６ドルの費用がかかった。
【００２５】
２００１年には、ＣＢＯ（Ｃｏｎｇｒｅｓｓｉｏｎａｌ  Ｂｕｄｇｅｔ  Ｏｆｆｉｃｅ）は、平均的なＨＭＯプランでのＰｂｏＲ（Ｐａｔｉｅｎｔｓ’  Ｂｉｌｌ  ｏｆ  Ｒｉｇｈｔｓ）に対するＨＭＯの実現及び維持コストがケネディ法案では４．２％、フリスト法案では２．９％だけＨＭＯプランのコストを増大させ、下院法案と実質的に同程度のものとなる。最終的な法律が上院と下院の法案を合わせたものになるとすると、ＰｂｏＲでのＨＭＯプランの平均的なコストの増加は３．５５％となるであろう。
【００２６】
Ｄａｖｉｄ  Ｂｒｏｄｅｒによる２００２年１月のワシントンポスト紙のコラムによると、ＨＭＯの保険料は、２００１年に１１％上昇し、２００２年には１４〜１５％の上昇が見込まれる。上記より、２０００年のＨＭＯの会員の年間保険料を取り出し、これに２００１年及び２００２年の予想年間保険料の値上がりを加えると、２００２年のＨＭＯの会員の平均的な年間保険料は、３，７１３ドル×１１％×１５％＝４，７３９．６４ドルとなる。２００２年のＰＰＯ会員の平均的保険料は、会員一人当たりの２０００年の年間保険料４，０３２ドルから４，０３２ドル×１１％×１５％＝５１４６．８８ドルに上昇するであろう。
【００２７】
ウェルポイントヘルスネットワークス（Ｗｅｌｌｐｏｉｎｔ  Ｈｅａｌｔｈ  Ｎｅｔｗｏｒｋｓ）の２００１年の年度レポートでは、会員の６５％がＰＰＯプランに属していると述べている。この例に対して、ＨＭＯは自らの会員の２５％しかをＰＰＯに持たないと仮定する。７５％のウェートを有するＨＭＯの平均的年間保険料４，７３９．６４ドルと、２５％のウェートを有するＰＰＯ会員の平均的保険料を用いると、融合させたＨＭＯ産業の平均的年間会員保険料として４，８４１．４５ドルが得られる。
【００２８】
上記のように決定されたＰｂｏＲの平均的なコストの上昇と融合したＨＭＯ産業の平均的年間保険料とを掛け合わせると、１７１．８７ドルの平均的年間ＰｂｏＲ／会員コスト、あるいは月単位で会員一人当たり１４．３２ドルとなる。
【００２９】
ＰｂｏＲに関するコストに加えて、２００２年のＨＭＯの追加的コストとして、メディカルプライバシールール（Ｍｅｄｉｃａｌ  Ｐｒｉｖａｃｙ  Ｒｕｌｅｓ）に属する料金がある。２０００年に、大統領によりこのメディカルプライバシールールが制定され、Ｗｉｌｌｉａｍ  Ｈ．Ｍｅｒｃｅｒ  Ｉｎｃ．によると、月当たりさらに１．５０ドルの費用がＨＭＯにかかることになる。メディカルプライバシールールの１．５０ドルの費用を月当たりのＰｂｏＲの費用に追加することにより、ＨＭＯ会員一人当たり月間で合計１５．８２ドルの２００２年における医療コストの上昇が見込まれる。この例では、訴訟費用がＣＢＯの数字に含まれているが、トータルでＨＭＯ会員一人当たり１５．８２ドルのＰｂｏＲとメディカルプライバシールールを加えた月額を０．１８ドルだけ上昇させることを決定し、これにより、医療プロバイダのコストをすべての不確実性を排除して月間会員一人当たり１６ドルに値上げすることになった。
【００３０】
すべてではないが、ＨＭＯの多くはこれらのコストの準備がすでにできている。しかしながら、ＨＭＯは、ＰｂｏＲの追加的費用を自らの会員に転嫁する権利がある。ファンドのユニークな特徴である産業払い戻しは、不安定な金融状況に置かれることなく、当該産業による医療関連法律の変更に従うことを可能にする。
【００３１】
現在、ＨＭＯ産業における利潤マージンはとても小さく、価格の引き上げなくイノベーションや追加的サービスの余地はほとんどない。一例として、好業績のＨＭＯであるＵｎｉｔｅｄＨｅａｌｔｈ  Ｇｒｏｕｐ  Ｉｎｃ．（ＵＮＨ）は、会員一人当たり７３．２９ドルあるいは月当たり６．１１ドルの年間利潤マージンを有し、会員は年間平均４，８４１．４５ドルまたは月当たり平均４０３．４５ドルを支払っている。従って、ＵＮＨの現在の純収益マージンは、年間会員一人当たり０．０１５ドルまたは１．５セントである。
【００３２】
ＵＮＨの月間会員一人当たり６．１１ドルの利潤に関して、月間会員一人当たり１５．８２ドルの医療プロバイダのコストは、月間会員一人当たり９．７１ドルの損失をもたらす。従って、孤立し、価格の上昇がないと仮定すると、ＰｂｏＲとメディカルプライバシールールの制定後、ＵＮＨは１５６，３３１，０００ドルの損失となるであろう。
【００３３】
医師、病院及び薬剤サービスへの支払いなどの医療コストに費やされる収入の割合を測るキーとなるＨＭＯ収益性の指標である医療損失レシオはまた、ＰｂｏＲにおける条項からのさらなる圧力にさらされている。
【００３４】
ファンドは、加入者が自らの他の運営費から分離されたファンドから債務を支払うことを可能にする。実際、ＨＭＯ産業では、プロバイダは、典型的には、ＨＭＯの収入に比例して医療損失レシオを調整する。医療損失レシオの実際の値は、ＨＭＯが会員ごとに徴収している金額に依存する。従って、ＨＭＯがＰｂｏＲ及びメディアカルプライバシールールの費用を賄うため、会員に対し料金の引き上げを行うと、プロバイダは、それに比例してＨＭＯが請求される価格も引き上げられてしまう。このように、料金の引き上げの結果としてＨＭＯが獲得する資金の一部のみしか負債の支払いに利用することができない。本発明のファンドの下では、ＨＭＯに徴収される追加的資金は、ＨＭＯの他の資産とは別に、ファンドに保持される。この資金は、ファンドの超過分が加入者に分配されて始めてＨＭＯのものになるため、ＨＭＯにより徴収される追加的資金の１００％までが債務の支払いのためＨＭＯにより使用されるかもしれない。
【００３５】
ファンドがない場合、赤字になるのを回避するため、ＨＭＯは１５〜２５％の価格引き上げなどの急激に価格を引き上げる必要が生じるであろう。従って、ＰｂｏＲの上昇する医療費用に取り組むための革新的方法がなければ、ＰｂｏＲはその意図するものと全く反対の効果を有することになり、マージンが限定的なものであるため、ＰｂｏＲによってはカバーされない領域においてＨＭＯは倹約的となり、これにより医療の質の下方スパイラルを招くことになる。
【００３６】
ファンド設定後でさえ、初年度のファンドにないものと同額だけ価格が引き上げられるが、当該ファンドが生み出す利潤の増大及びファンドが促進する競争の効果により、将来的には、医療費の増大は完全に解消されない場合でも実質的に低減するであろう。
【００３７】
ファンドは、ＨＭＯにマージンを指数的に引き上げる方法を提供し、ＣＡＬＰＥＲＳ（２５％）や他の者（１５％）が見込むものの一部において価格を増大させる。実際、ファンド設定の直接的な結果として、年間会員一人当たり４，８４１．４５ドル及び月間会員一人当たり１６ドルの２００２年の融合されたＨＭＯ／ＰＰＯレートを仮定すると、４％だけの価格上昇のみでファンドを十分賄うことができる。
【００３８】
ファンドの実現後、図示されるように、利潤は劇的に上がり、個々のＨＭＯがさらなる価格引下げを実施するのを可能にする。従って、ファンドは競争を促進し、低価格化が可能になる。
【００３９】
ファンドへの各ＨＭＯあるいはＨＭＯ産業の提携のＨＭＯ署名者は、提携がファンドの署名者である場合、当該ファンドに月間会員一人当たりの設定金額を支払う。（もちろん、会員を構成するものは、ＨＭＯ産業の提携、加入者のＨＭＯグループまたはファンドへの個々のＨＭＯ署名者による規定された合意に従う。）この例では、各ＨＭＯ会員がファンドに払い込む金額は月間１６ドルと想定され、これは上記決定されるように、各会員によりファンドがない場合に支払われる金額と一致する。
【００４０】
さらに、この例では、四半期毎に、ファンドのＨＭＯ加入者は、ファンド払い戻しが会員数に依存するため、各自の会員の調査及び調整を行う。このファンドは、ＰｂｏＲ及びメディカルプライバシールールにおいて必要とされる追加的サービス及び追加的訴訟費用
を会員に提供するのに伴うコストに対して、ＨＭＯに払い戻しを行うよう設計されている。時間の経過と共に、ファンドへの月毎のＨＭＯの払い込みは、インフレ圧力により増加するかもしれない。しかしながら、このような増加は、それをＣＰＩインデックスの年間の上昇に限定することにより、ファンド構成に上限を与えることができる。ファンドは、各自のＨＭＯに対して最終判決または和解合意を得たＨＭＯのすべての会員に支払いを行い、当該ファンドへの個々のＨＭＯ署名者またはＨＭＯ加入者は、当該ＨＭＯがファンドへの署名者であると仮定すると、支払いのためファンドにこれら最終判決や和解合意を提出する。ＨＭＯの会員が活発に告訴を行い、すべての控訴を尽くし、ＨＭＯ会員が受けるすべての傷害がファンドのルールに属する場合、個々のＨＭＯ会員は事前訴訟和解及び／または最終判決を介しファンドから救済を得ることができる。
【００４１】
ＨＭＯ会員が自らの独立した再検討控訴過程を尽くし、及び／またはＨＭＯが訴訟の和解を決断した後の和解において、当該事件は、当該和解の公正性に関する決定後、和解に対する合意、その増減を行うファンドの法医学委員会にわたされる。ＨＭＯ会員とＨＭＯがファンドの法医学委員会の決定に合意すると、ファンドはＨＭＯ会員に支払いを行うこととなり、この支払いは、次期の会計期間の期初または期末に行われる。合意に至らない場合、ＨＭＯ会員は裁判に持ち込むことができる。ファンドが和解と承認し、支払いが行われた判決または事前判決を繰り返すＨＭＯは、ファンド結成時あるいは結成前にファンド署名者により決められた規則により、ファンドからの排除またはより軽微な形態では罰則を受けるおそれがある。
【００４２】
すべての会計期間の期中において、ＨＭＯ署名者によりファンドに払い込まれたすべての資金は、好ましくは、財務省証券（ＴＢ）や、例えば、フィッチ及び／またはムーディーズなどの格付け機関により高格付けに分類される金融機関により発行された類似の期間の他のマネーマーケット手段に投資される。ファンドにより支払われるすべての判断及び／または和解額は、各会計期間の期末にのみ行われる。ファンド訴訟委員会により合意されているが、合意がなされた会計期間の期末に、各ＨＭＯに対してなされた最終判決及び法的過程前または最中に和解された訴訟に対する支払いが行われなかった資金が、ファンド加入者である個々のＨＭＯに支払われる。ファンドの各ＨＭＯ加入者に支払われるファンドの資金は、会計期間の期末でのすべてのＨＭＯに対するＨＭＯファンドの合計会員数に対する当該ＨＭＯの会員数に比例するものとなる。言い換えると、あるＨＭＯが１，０００人の会員を有し、ファンドのすべてのＨＭＯの合計会員数が会計期間の期末において１０，０００人である場合、当該ＨＭＯはファンドが個々の要求者に支払わなかった資金の１０％に等しい支払いを受けることとなる。
【００４３】
ファンドに払い込まれたファンド資金がファンドの本来の目的のためだけに実際使用されることを確実にするため、ファンドマネージャは手数料を受け取らないことが推奨される。むしろ、ファンドマネージャの手数料は、ファンドの「フロート」（各会計期間の期末における支払い前に、ＨＭＯから払い込まれた資金を投資することによりファンドに得られた利子）となるであろう。「フロート」の大きさは、払い込まれた資金がファンドに残留する合意された会計期間と利子率に応じて決定される。
【００４４】
ファンド収入を枯渇せず、必要なときに利用不可能とならないように、払い込まれた資金のすべてが財務省証券及び／またはファンドの各会計期間と同じ期間で発行されたマネーマーケット手段である譲渡性預金に置き換えられることが非常に好ましい。財務省証券や、満期日が会計期間と一致するマネーマーケット手段を取得することにより、流動性の増大と、投資リスクの全てではないが大部分を排除することができる。
【００４５】
ファンドに対する要求は、制定されれば、患者権利法案により米国司法システムを介し告訴されてもよい。制定されない場合には、現在実施されている法律が適用される。しかしながら、独立した再調査システムが、ファンドの法医学委員会への告訴により、各ＨＭＯにおいて設定されることが好ましい。米国司法システムが利用される場合、最終判決が支払いを提示するものであったり、あるいはファンドの法医学委員会により最終判決前の和解が認められると、ファンドによる支払いが許可される。ＨＭＯ内の独立した再調査機構及びファンドの法医学委員会の提示される支払いの決定を通じて、要求を解決することができる。
【００４６】
ファンド及びその機構の実際的な適用及びその構成員に対する予想される効果に戻って、以下の仮定に基づく以下の結果を得ることができる。
【００４７】
上記設定されたように、各ＨＭＯは月間会員一人当たり１６ドルをファンドに払い込む。
【００４８】
ＨＭＯ加盟が全体としてファンドに加入することを決めると、ファンドは少なくとも１億人の会員を有することになる。ファンドが１億人の会員の加入によりＨＭＯ会員を有すると仮定する。
【００４９】
ＨＭＯ産業の代表者との議論に従い、訴訟及び付随するすべてのものを含むＰｂｏＲや自発的採用から生じる会員の要求は、ファンドに払い込まれた月下の保険料部分の１０％を超えてはファンド加入者に負担をかけない。
【００５０】
各会計期間の期末に要求が支払われると、ファンドを利用するすべてのＨＭＯの合計会員数に対する当該会員数が享受するのに比例して、加入しているＨＭＯに残高が支払われる。この支払いは、患者権利法案と自らが採用しているメディアカルプライバシールールに関するコストに対して、ＨＭＯに払い戻しが行われる。
【００５１】
実行税率は３５％と仮定される。
【００５２】
ファンドは、少なくとも２５年間継続されると想定される。
【００５３】
この例示的な例に対して、当該２５年間におけるインフレ率はゼロと想定され、４つすべてのＨＭＯが各自の会員数を維持するとする。（実際、このビジネスメソッドモデルは、会員が増えるに従い、ＨＭＯは受け取る払い戻しによってより多くの資金を得ることができ、より多くのマーケティング及び／または低価格化を含む当該資金のより多くの利用を行い、マーケットシェアの獲得及び／または損失が可能となるため、競争を促進する機能を有する。）ファンドの資金は、ファンド関連の要求のみに支払われ、これにより、税引き前の収入レベルで全ての要求に支払いを行った後、資金はＨＭＯにわたされる。
【００５４】
以下では、四半期結果の期末を２００２年３月３１日として用い、２５年のファンドの効果を分離して、最大手４つのＨＭＯ企業に対してファンド設定がもたらす２５年の効果が、ファンド実現の結果として企業に蓄積される利益をより明快に示すため分析される。
【００５５】
ＵｎｉｔｅｄＨｅａｌｔｈＧｒｏｕｐ（ＵＮＨ）の例
２００２年第１四半期の期末において、ＵＮＨは２９５百万ドルの純利益を有していた。景気が変化しないと仮定すると、ＵＮＨは２００２年に少なくとも１，１８０百万ドルの収入を有するであろう。見込み数を用いて、ファンドが上記仮定に基づき２００２年１月１日から運営されるとすると、ＵＮＨは、２００２年に１，８０８百万ドルの範囲で年間純利益を加算することができ（そしてファンドが継続される以降のすべての年度）、１５３％の２００２年の純利益の増加、２００２年合計の純利益を２，９８８百万ドルにすることができる。２５％の株価収益（Ｐ／Ｅ）率を仮定すると、ファンド採用後のＵＮＨの株価の上昇は、１，８０８百万ドル×２５＝４５，０２０百万ドルとなるであろう。ＵＮＨの現在の市場価値は２７，９６０百万ドルであるため、この４６，９５０百万ドルのファンドの収入の追加により、ＵＮＨの時価総額は２６１％増加した７２，９８０百万ドルに増大するであろう。
【００５６】
以下では、ファンドが維持される２〜２５年間をカバーするＵＮＨの収入と市場価値の増大が分析される。
・第２年度
期初における市場価値（ＭＶ）：７２，９８０百万ドル
ファンドからの期末におけるＰ／Ｅ乗数（ｍｕｌｔｉｐｌｉｅｒ）：４５，０２０百万ドル
期初ＭＶ（７２，９８０百万ドル）＋Ｐ／Ｅ乗数（４５，０２０百万ドル）＝期末ＭＶ：１１８，０００百万ドル
・第３年度
期初における市場価値（ＭＶ）：１１８，０００百万ドル
ファンドからの期末におけるＰ／Ｅ乗数：４５，０２０百万ドル
期初ＭＶ（１１８，０００百万ドル）＋Ｐ／Ｅ乗数（４５，０２０百万ドル）＝期末ＭＶ：１６３，０２０百万ドル
・第４年度
期初における市場価値（ＭＶ）：１６３，０２０百万ドル
ファンドからの期末におけるＰ／Ｅ乗数：４５，０２０百万ドル
期初ＭＶ（１６３，０２０百万ドル）＋Ｐ／Ｅ乗数（４５，０２０百万ドル）＝期末ＭＶ：２０８，０４０百万ドル
・第５年度
期初における市場価値（ＭＶ）：２０８，０４０百万ドル
ファンドからの期末におけるＰ／Ｅ乗数：４５，０２０百万ドル
期初ＭＶ（２０８，０４０百万ドル）＋Ｐ／Ｅ乗数（４５，０２０百万ドル）＝期末ＭＶ：２５３，０６０百万ドル
・第６年度
期初における市場価値（ＭＶ）：２５３，０６０百万ドル
ファンドからの期末におけるＰ／Ｅ乗数：４５，０２０百万ドル
期初ＭＶ（２５３，０６０百万ドル）＋Ｐ／Ｅ乗数（４５，０２０百万ドル）＝期末ＭＶ：２９８，０８０百万ドル
・第７年度
期初における市場価値（ＭＶ）：２９８，０８０百万ドル
ファンドからの期末におけるＰ／Ｅ乗数：４５，０２０百万ドル
期初ＭＶ（２９８，０８０百万ドル）＋Ｐ／Ｅ乗数（４５，０２０百万ドル）＝期末ＭＶ：３４３，１００百万ドル
・第８年度
期初における市場価値（ＭＶ）：３４３，１００百万ドル
ファンドからの期末におけるＰ／Ｅ乗数：４５，０２０百万ドル
期初ＭＶ（３４３，１００百万ドル）＋Ｐ／Ｅ乗数（４５，０２０百万ドル）＝期末ＭＶ：３８８，１２０百万ドル
・第９年度
期初における市場価値（ＭＶ）：３８８，１２０百万ドル
ファンドからの期末におけるＰ／Ｅ乗数：４５，０２０百万ドル
期初ＭＶ（３８８，１２０百万ドル）＋Ｐ／Ｅ乗数（４５，０２０百万ドル）＝期末ＭＶ：４３３，１４０百万ドル
・第１０年度
期初における市場価値（ＭＶ）：４３３，１４０百万ドル
ファンドからの期末におけるＰ／Ｅ乗数：４５，０２０百万ドル
期初ＭＶ（４３３，１４０百万ドル）＋Ｐ／Ｅ乗数（４５，０２０百万ドル）＝期末ＭＶ：４７８，１６０百万ドル
・第１１年度
期初における市場価値（ＭＶ）：４７８，１６０百万ドル
ファンドからの期末におけるＰ／Ｅ乗数：４５，０２０百万ドル
期初ＭＶ（４７８，１６０百万ドル）＋Ｐ／Ｅ乗数（４５，０２０百万ドル）＝期末ＭＶ：５２３，１８０百万ドル
・第１２年度
期初における市場価値（ＭＶ）：５２３，１８０百万ドル
ファンドからの期末におけるＰ／Ｅ乗数：４５，０２０百万ドル
期初ＭＶ（５２３，１８０百万ドル）＋Ｐ／Ｅ乗数（４５，０２０百万ドル）＝期末ＭＶ：５６８，２００百万ドル
・第１３年度
期初における市場価値（ＭＶ）：５６８，２００百万ドル
ファンドからの期末におけるＰ／Ｅ乗数：４５，０２０百万ドル
期初ＭＶ（５６８，２００百万ドル）＋Ｐ／Ｅ乗数（４５，０２０百万ドル）＝期末ＭＶ：６１３，２２０百万ドル
・第１４年度
期初における市場価値（ＭＶ）：６１３，２２０百万ドル
ファンドからの期末におけるＰ／Ｅ乗数：４５，０２０百万ドル
期初ＭＶ（６１３，２２０百万ドル）＋Ｐ／Ｅ乗数（４５，０２０百万ドル）＝期末ＭＶ：６５８，２４０百万ドル
・第１５年度
期初における市場価値（ＭＶ）：６５８，２４０百万ドル
ファンドからの期末におけるＰ／Ｅ乗数：４５，０２０百万ドル
期初ＭＶ（６５８，２４０百万ドル）＋Ｐ／Ｅ乗数（４５，０２０百万ドル）＝期末ＭＶ：７０３，２６０百万ドル
・第１６年度
期初における市場価値（ＭＶ）：７０３，２６０百万ドル
ファンドからの期末におけるＰ／Ｅ乗数：４５，０２０百万ドル
期初ＭＶ（７０３，２６０百万ドル）＋Ｐ／Ｅ乗数（４５，０２０百万ドル）＝期末ＭＶ：７４８，２８０百万ドル
・第１７年度
期初における市場価値（ＭＶ）：７４８，２８０百万ドル
ファンドからの期末におけるＰ／Ｅ乗数：４５，０２０百万ドル
期初ＭＶ（７４８，２８０百万ドル）＋Ｐ／Ｅ乗数（４５，０２０百万ドル）＝期末ＭＶ：７９３，３００百万ドル
・第１８年度
期初における市場価値（ＭＶ）：７９３，３００百万ドル
ファンドからの期末におけるＰ／Ｅ乗数：４５，０２０百万ドル
期初ＭＶ（７９３，３００百万ドル）＋Ｐ／Ｅ乗数（４５，０２０百万ドル）＝期末ＭＶ：８３８，３２０百万ドル
・第１９年度
期初における市場価値（ＭＶ）：８３８，３２０百万ドル
ファンドからの期末におけるＰ／Ｅ乗数：４５，０２０百万ドル
期初ＭＶ（８３８，３２０百万ドル）＋Ｐ／Ｅ乗数（４５，０２０百万ドル）＝期末ＭＶ：８８３，３４０百万ドル
・第２０年度
期初における市場価値（ＭＶ）：８８３，３４０百万ドル
ファンドからの期末におけるＰ／Ｅ乗数：４５，０２０百万ドル
期初ＭＶ（８８３，３４０百万ドル）＋Ｐ／Ｅ乗数（４５，０２０百万ドル）＝期末ＭＶ：９２８，３６０百万ドル
・第２１年度
期初における市場価値（ＭＶ）：９２８，３６０百万ドル
ファンドからの期末におけるＰ／Ｅ乗数：４５，０２０百万ドル
期初ＭＶ（９２８，３６０百万ドル）＋Ｐ／Ｅ乗数（４５，０２０百万ドル）＝期末ＭＶ：９７３，３８０百万ドル
・第２２年度
期初における市場価値（ＭＶ）：９７３，３８０百万ドル
ファンドからの期末におけるＰ／Ｅ乗数：４５，０２０百万ドル
期初ＭＶ（９７３，３８０百万ドル）＋Ｐ／Ｅ乗数（４５，０２０百万ドル）＝期末ＭＶ：１，０１８，４００百万ドル
・第２３年度
期初における市場価値（ＭＶ）：１，０１８，４００百万ドル
ファンドからの期末におけるＰ／Ｅ乗数：４５，０２０百万ドル
期初ＭＶ（１，０１８，４００百万ドル）＋Ｐ／Ｅ乗数（４５，０２０百万ドル）＝期末ＭＶ：１，０６３，４２０百万ドル
・第２４年度
期初ＭＶ（１，０６３，４２０百万ドル）＋Ｐ／Ｅ乗数（４５，０２０百万ドル）＝期末ＭＶ：１，１０８，４４０百万ドル
・第２５年度
期初ＭＶ（１，１０８，４４０百万ドル）＋Ｐ／Ｅ乗数（４５，０２０百万ドル）＝期末ＭＶ：１，１５３，４６０百万ドル
図示されるように、ファンドは２５年間でＵＮＨがその株主価値を時価総額２７，９６０百万ドルから１，１５３，４６０百万ドルまで、すなわち、４，１２５％の価値の増加または年率平均１６５％の増加を可能にする。直近四半期のＵＮＨは、結果的に２８％収入が増加した。ファンドがなければ、ＵＮＨは年間２８％の増大が可能であろう。しかしながら、この大きな成果は、ファンドによる２００２年の１６５％の見込まれるリターンと比較すると見劣りする。
【００５７】
ＡＥＴＮＡの例
２００２年第１四半期の期末において、１５百万人の会員がいる。第１四半期の期末において、ＡＥＴＮＡは、純利益６４．９百万ドルを有する。２００２年第１四半期の結果に基づき、ＡＥＴＮＡは、２００２年度に２５９．６百万ドルを超える純利益を達成すると仮定する。ファンドを用いると、ＡＥＴＮＡの２００２年の予想されるファンド収入は、約１，６８４，８００百万ドルとなる。２５％の株価収益率を仮定すると、ＡＥＴＮＡの市場価値は、４２，１２０百万ドルまで増加するであろう。現在、ＡＥＴＮＡは、約７，０００百万ドルの時価総額を有する。ファンドにより、ＡＥＴＮＡの時価総額は、１年間で４９，１２０百万ドルまで増加し、これは７０１％を超える価値の増大に匹敵する。
【００５８】
以下では、ＡＥＴＮＡの２５年間の収入と時価総額が分析される。
・第２年度
期初における市場価値（ＭＶ）：４９，１２０百万ドル
ファンドからの期末におけるＰ／Ｅ乗数：４２，１２０百万ドル
期初ＭＶ（４９，１２０百万ドル）＋Ｐ／Ｅ乗数（４２，１２０百万ドル）＝期末ＭＶ：９１，２４０百万ドル
・第３年度
期初における市場価値（ＭＶ）：９１，２４０百万ドル
ファンドからの期末におけるＰ／Ｅ乗数：４２，１２０百万ドル
期初ＭＶ（９１，２４０百万ドル）＋Ｐ／Ｅ乗数（４２，１２０百万ドル）＝期末ＭＶ：１３３，３６０百万ドル
・第４年度
期初における市場価値（ＭＶ）：１３３，３６０百万ドル
ファンドからの期末におけるＰ／Ｅ乗数：４２，１２０百万ドル
期初ＭＶ（１３３，３６０百万ドル）＋Ｐ／Ｅ乗数（４２，１２０百万ドル）＝期末ＭＶ：１７５，４８０百万ドル
・第５年度
期初における市場価値（ＭＶ）：１７５，４８０百万ドル
ファンドからの期末におけるＰ／Ｅ乗数：４２，１２０百万ドル
期初ＭＶ（１７５，４８０百万ドル）＋Ｐ／Ｅ乗数（４２，１２０百万ドル）＝期末ＭＶ：２１７，６００百万ドル
・第６年度
期初における市場価値（ＭＶ）：２１７，６００百万ドル
ファンドからの期末におけるＰ／Ｅ乗数：４２，１２０百万ドル
期初ＭＶ（２１７，６００百万ドル）＋Ｐ／Ｅ乗数（４２，１２０百万ドル）＝期末ＭＶ：２５９，７２０百万ドル
・第７年度
期初における市場価値（ＭＶ）：２５９，７２０百万ドル
ファンドからの期末におけるＰ／Ｅ乗数：４２，１２０百万ドル
期初ＭＶ（２５９，７２０百万ドル）＋Ｐ／Ｅ乗数（４２，１２０百万ドル）＝期末ＭＶ：３０１，８４０百万ドル
・第８年度
期初における市場価値（ＭＶ）：３０１，８４０百万ドル
ファンドからの期末におけるＰ／Ｅ乗数：４２，１２０百万ドル
期初ＭＶ（３０１，８４０百万ドル）＋Ｐ／Ｅ乗数（４２，１２０百万ドル）＝期末ＭＶ：３４３，９６０百万ドル
・第９年度
期初における市場価値（ＭＶ）：３４３，９６０百万ドル
ファンドからの期末におけるＰ／Ｅ乗数：４２，１２０百万ドル
期初ＭＶ（３４３，９６０百万ドル）＋Ｐ／Ｅ乗数（４２，１２０百万ドル）＝期末ＭＶ：３８６，０８０百万ドル
・第１０年度
期初における市場価値（ＭＶ）：３８６，０８０百万ドル
ファンドからの期末におけるＰ／Ｅ乗数：４２，１２０百万ドル
期初ＭＶ（３８６，０８０百万ドル）＋Ｐ／Ｅ乗数（４２，１２０百万ドル）＝期末ＭＶ：４２８，２００百万ドル
・第１１年度
期初における市場価値（ＭＶ）：４２８，２００百万ドル
ファンドからの期末におけるＰ／Ｅ乗数：４２，１２０百万ドル
期初ＭＶ（４２８，２００百万ドル）＋Ｐ／Ｅ乗数（４２，１２０百万ドル）＝期末ＭＶ：４７０，３２０百万ドル
・第１２年度
期初における市場価値（ＭＶ）：４７０，３２０百万ドル
ファンドからの期末におけるＰ／Ｅ乗数：４２，１２０百万ドル
期初ＭＶ（４７０，３２０百万ドル）＋Ｐ／Ｅ乗数（４２，１２０百万ドル）＝期末ＭＶ：５１２，４４０百万ドル
・第１３年度
期初における市場価値（ＭＶ）：５１２，４４０百万ドル
ファンドからの期末におけるＰ／Ｅ乗数：４２，１２０百万ドル
期初ＭＶ（５１２，４４０百万ドル）＋Ｐ／Ｅ乗数（４２，１２０百万ドル）＝期末ＭＶ：５５４，５６０百万ドル
・第１４年度
期初における市場価値（ＭＶ）：５５４，５６０百万ドル
ファンドからの期末におけるＰ／Ｅ乗数：４２，１２０百万ドル
期初ＭＶ（５５４，５６０百万ドル）＋Ｐ／Ｅ乗数（４２，１２０百万ドル）＝期末ＭＶ：５９６，６８０百万ドル
・第１５年度
期初における市場価値（ＭＶ）：５９６，６８０百万ドル
ファンドからの期末におけるＰ／Ｅ乗数：４２，１２０百万ドル
期初ＭＶ（５９６，６８０百万ドル）＋Ｐ／Ｅ乗数（４２，１２０百万ドル）＝期末ＭＶ：６３８，８００百万ドル
・第１６年度
期初における市場価値（ＭＶ）：６３８，８００百万ドル
ファンドからの期末におけるＰ／Ｅ乗数：４２，１２０百万ドル
期初ＭＶ（６３８，８００百万ドル）＋Ｐ／Ｅ乗数（４２，１２０百万ドル）＝期末ＭＶ：６８０，９２０百万ドル
・第１７年度
期初における市場価値（ＭＶ）：６８０，９２０百万ドル
ファンドからの期末におけるＰ／Ｅ乗数：４２，１２０百万ドル
期初ＭＶ（６８０，９２０百万ドル）＋Ｐ／Ｅ乗数（４２，１２０百万ドル）＝期末ＭＶ：７２３，０４０百万ドル
・第１８年度
期初における市場価値（ＭＶ）：７２３，０４０百万ドル
ファンドからの期末におけるＰ／Ｅ乗数：４２，１２０百万ドル
期初ＭＶ（７２３，０４０百万ドル）＋Ｐ／Ｅ乗数（４２，１２０百万ドル）＝期末ＭＶ：７６５，１６０百万ドル
・第１９年度
期初における市場価値（ＭＶ）：７６５，１６０百万ドル
ファンドからの期末におけるＰ／Ｅ乗数：４２，１２０百万ドル
期初ＭＶ（７６５，１６０百万ドル）＋Ｐ／Ｅ乗数（４２，１２０百万ドル）＝期末ＭＶ：８０７，２８０百万ドル
・第２０年度
期初における市場価値（ＭＶ）：８０７，２８０百万ドル
ファンドからの期末におけるＰ／Ｅ乗数：４２，１２０百万ドル
期初ＭＶ（８０７，２８０百万ドル）＋Ｐ／Ｅ乗数（４２，１２０百万ドル）＝期末ＭＶ：８４９，４００百万ドル
・第２１年度
期初における市場価値（ＭＶ）：８４９，４００百万ドル
ファンドからの期末におけるＰ／Ｅ乗数：４２，１２０百万ドル
期初ＭＶ（８４９，４００百万ドル）＋Ｐ／Ｅ乗数（４２，１２０百万ドル）＝期末ＭＶ：８９１，５２０百万ドル
・第２２年度
期初における市場価値（ＭＶ）：８９１，５２０百万ドル
ファンドからの期末におけるＰ／Ｅ乗数：４２，１２０百万ドル
期初ＭＶ（８９１，５２０百万ドル）＋Ｐ／Ｅ乗数（４２，１２０百万ドル）＝期末ＭＶ：９３３，６４０百万ドル
・第２３年度
期初における市場価値（ＭＶ）：９３３，６４０百万ドル
ファンドからの期末におけるＰ／Ｅ乗数：４２，１２０百万ドル
期初ＭＶ（９３３，６４０百万ドル）＋Ｐ／Ｅ乗数（４２，１２０百万ドル）＝期末ＭＶ：９７５，７６０百万ドル
・第２４年度
期初における市場価値（ＭＶ）：９７５，７６０百万ドル
ファンドからの期末におけるＰ／Ｅ乗数：４２，１２０百万ドル
期初ＭＶ（９７５，７６０百万ドル）＋Ｐ／Ｅ乗数（４２，１２０百万ドル）＝期末ＭＶ：１，０１７，８８０百万ドル
・第２５年度
期初における市場価値（ＭＶ）：１，０１７，８８０百万ドル
ファンドからの期末におけるＰ／Ｅ乗数：４２，１２０百万ドル
期初ＭＶ（１，０１７，８８０百万ドル）＋Ｐ／Ｅ乗数（４２，１２０百万ドル）＝期末ＭＶ：１，０６０，０００百万ドル
従って、ファンドを用いることにより、ＡＥＴＮＡは、ファンドの当初の２５年間において７，０００百万ドルから１，０６０，０００百万ドルにその時価総額を増やすことができ、これは１５，１４４％の時価総額の増加に相当するということがわかるであろう。
【００５９】
ＣＩＧＮＡの例
２００２年第１四半期の期末において、ＣＩＧＮＡは１４．２百万人の会員を有する。ＣＩＧＮＡは、純利益２１６百万ドルを有する。ＣＩＧＮＡは、２００２年度に８６４百万ドルの範囲の収入を有すると仮定する。ファンドを用いると、ＣＩＧＮＡの２００２年度の予想される収入に１，５９４百万ドルを追加することができる。２５倍の株価収益を仮定すると、ファンドを用いることにより、ＣＩＧＮＡの市場価値は、３９，８６１百万ドルまで増加するであろう。現在、ＣＩＧＮＡは、約１５，０００百万ドルの時価総額を有する。ＨＭＯファンドの収入の増加により、ＣＩＧＮＡの時価総額は、５４，８６１百万ドルまで増加し、これは３６６％の市場価値の増大に匹敵する。以下では、ＣＩＧＮＡの時価総額に対するファンドの効果の２５年間の分析が与えられる。
・第２年度
期初における市場価値（ＭＶ）：５４，８６１百万ドル
ファンドからの期末におけるＰ／Ｅ乗数：３９，８６１百万ドル
期初ＭＶ（５４，８６１百万ドル）＋Ｐ／Ｅ乗数（３９，８６１百万ドル）＝期末ＭＶ：９４，７２２百万ドル
・第３年度
期初における市場価値（ＭＶ）：９４，７２２百万ドル
ファンドからの期末におけるＰ／Ｅ乗数：３９，８６１百万ドル
期初ＭＶ（９４，７２２百万ドル）＋Ｐ／Ｅ乗数（３９，８６１百万ドル）＝期末ＭＶ：１３４，５８３百万ドル
・第４年度
期初における市場価値（ＭＶ）：１３４，５８３百万ドル
ファンドからの期末におけるＰ／Ｅ乗数：３９，８６１百万ドル
期初ＭＶ（１３４，５８３百万ドル）＋Ｐ／Ｅ乗数（３９，８６１百万ドル）＝期末ＭＶ：１７４，４４４百万ドル
・第５年度
期初における市場価値（ＭＶ）：１７４，４４４百万ドル
ファンドからの期末におけるＰ／Ｅ乗数：３９，８６１百万ドル
期初ＭＶ（１７４，４４４百万ドル）＋Ｐ／Ｅ乗数（３９，８６１百万ドル）＝期末ＭＶ：２１４，３０５百万ドル
・第６年度
期初における市場価値（ＭＶ）：２１４，３０５百万ドル
ファンドからの期末におけるＰ／Ｅ乗数：３９，８６１百万ドル
期初ＭＶ（２１４，３０５百万ドル）＋Ｐ／Ｅ乗数（３９，８６１百万ドル）＝期末ＭＶ：２５４，１６６百万ドル
・第７年度
期初における市場価値（ＭＶ）：２５４，１６６百万ドル
ファンドからの期末におけるＰ／Ｅ乗数：３９，８６１百万ドル
期初ＭＶ（２５４，１６６百万ドル）＋Ｐ／Ｅ乗数（３９，８６１百万ドル）＝期末ＭＶ：２９４，０２７百万ドル
・第８年度
期初における市場価値（ＭＶ）：２９４，０２７百万ドル
ファンドからの期末におけるＰ／Ｅ乗数：３９，８６１百万ドル
期初ＭＶ（２９４，０２７百万ドル）＋Ｐ／Ｅ乗数（３９，８６１百万ドル）＝期末ＭＶ：３３３，８８８百万ドル
・第９年度
期初における市場価値（ＭＶ）：３３３，８８８百万ドル
ファンドからの期末におけるＰ／Ｅ乗数：３９，８６１百万ドル
期初ＭＶ（３３３，８８８百万ドル）＋Ｐ／Ｅ乗数（３９，８６１百万ドル）＝期末ＭＶ：３７３，７４９百万ドル
・第１０年度
期初における市場価値（ＭＶ）：３７３，７４９百万ドル
ファンドからの期末におけるＰ／Ｅ乗数：３９，８６１百万ドル
期初ＭＶ（３７３，７４９百万ドル）＋Ｐ／Ｅ乗数（３９，８６１百万ドル）＝期末ＭＶ：４１３，６１０百万ドル
・第１１年度
期初における市場価値（ＭＶ）：４１３，６１０百万ドル
ファンドからの期末におけるＰ／Ｅ乗数：３９，８６１百万ドル
期初ＭＶ（４１３，６１０百万ドル）＋Ｐ／Ｅ乗数（３９，８６１百万ドル）＝期末ＭＶ：４５３，４７１百万ドル
・第１２年度
期初における市場価値（ＭＶ）：４５３，４７１百万ドル
ファンドからの期末におけるＰ／Ｅ乗数：３９，８６１百万ドル
期初ＭＶ（４５３，４７１百万ドル）＋Ｐ／Ｅ乗数（３９，８６１百万ドル）＝期末ＭＶ：４９３，３３２百万ドル
・第１３年度
期初における市場価値（ＭＶ）：４９３，３３２百万ドル
ファンドからの期末におけるＰ／Ｅ乗数：３９，８６１百万ドル
期初ＭＶ（４９３，３３２百万ドル）＋Ｐ／Ｅ乗数（３９，８６１百万ドル）＝期末ＭＶ：５３３，１９３百万ドル
・第１４年度
期初における市場価値（ＭＶ）：５３３，１９３百万ドル
ファンドからの期末におけるＰ／Ｅ乗数：３９，８６１百万ドル
期初ＭＶ（５３３，１９３百万ドル）＋Ｐ／Ｅ乗数（３９，８６１百万ドル）＝期末ＭＶ：５７３，０５４百万ドル
・第１５年度
期初における市場価値（ＭＶ）：５７３，０５４百万ドル
ファンドからの期末におけるＰ／Ｅ乗数：３９，８６１百万ドル
期初ＭＶ（５７３，０５４百万ドル）＋Ｐ／Ｅ乗数（３９，８６１百万ドル）＝期末ＭＶ：６１２，９１５百万ドル
・第１６年度
期初における市場価値（ＭＶ）：６１２，９１５百万ドル
ファンドからの期末におけるＰ／Ｅ乗数：３９，８６１百万ドル
期初ＭＶ（６１２，９１５百万ドル）＋Ｐ／Ｅ乗数（３９，８６１百万ドル）＝期末ＭＶ：６５２，７７６百万ドル
・第１７年度
期初における市場価値（ＭＶ）：６５２，７７６百万ドル
ファンドからの期末におけるＰ／Ｅ乗数：３９，８６１百万ドル
期初ＭＶ（６５２，７７６百万ドル）＋Ｐ／Ｅ乗数（３９，８６１百万ドル）＝期末ＭＶ：６９２，６３７百万ドル
・第１８年度
期初における市場価値（ＭＶ）：６９２，６３７百万ドル
ファンドからの期末におけるＰ／Ｅ乗数：３９，８６１百万ドル
期初ＭＶ（６９２，６３７百万ドル）＋Ｐ／Ｅ乗数（３９，８６１百万ドル）＝期末ＭＶ：７３２，４９８百万ドル
・第１９年度
期初における市場価値（ＭＶ）：７３２，４９８百万ドル
ファンドからの期末におけるＰ／Ｅ乗数：３９，８６１百万ドル
期初ＭＶ（７３２，４９８百万ドル）＋Ｐ／Ｅ乗数（３９，８６１百万ドル）＝期末ＭＶ：７７２，３５９百万ドル
・第２０年度
期初における市場価値（ＭＶ）：７７２，３５９百万ドル
ファンドからの期末におけるＰ／Ｅ乗数：３９，８６１百万ドル
期初ＭＶ（７７２，３５９百万ドル）＋Ｐ／Ｅ乗数（３９，８６１百万ドル）＝期末ＭＶ：８１２，２２０百万ドル
・第２１年度
期初における市場価値（ＭＶ）：８１２，２２０百万ドル
ファンドからの期末におけるＰ／Ｅ乗数：３９，８６１百万ドル
期初ＭＶ（８１２，２２０百万ドル）＋Ｐ／Ｅ乗数（３９，８６１百万ドル）＝期末ＭＶ：８５２，０８１百万ドル
・第２２年度
期初における市場価値（ＭＶ）：８５２，０８１百万ドル
ファンドからの期末におけるＰ／Ｅ乗数：３９，８６１百万ドル
期初ＭＶ（８５２，０８１百万ドル）＋Ｐ／Ｅ乗数（３９，８６１百万ドル）＝期末ＭＶ：８９１，９４２百万ドル
・第２３年度
期初における市場価値（ＭＶ）：８９１，９４２百万ドル
ファンドからの期末におけるＰ／Ｅ乗数：３９，８６１百万ドル
期初ＭＶ（８９１，９４２百万ドル）＋Ｐ／Ｅ乗数（３９，８６１百万ドル）＝期末ＭＶ：９３１，８０３百万ドル
・第２４年度
期初における市場価値（ＭＶ）：９３１，８０３百万ドル
ファンドからの期末におけるＰ／Ｅ乗数：３９，８６１百万ドル
期初ＭＶ（９３１，８０３百万ドル）＋Ｐ／Ｅ乗数（３９，８６１百万ドル）＝期末ＭＶ：９７１，６６４百万ドル
・第２５年度
期初における市場価値（ＭＶ）：９７１，６６４百万ドル
ファンドからの期末におけるＰ／Ｅ乗数：３９，８６１百万ドル
期初ＭＶ（９７１，６６４百万ドル）＋Ｐ／Ｅ乗数（３９，８６１百万ドル）＝期末ＭＶ：１，０１１，０００百万ドル
ファンドの最初の２５年間で、ＣＩＧＮＡは６，７４３．５％増大する。
【００６０】
Ｗｅｌｌｐｏｉｎｔ  Ｈｅａｌｔｈ  Ｎｅｔｗｏｒｋｓ  Ｉｎｃ．の例
２００２年第１四半期の期末において、Ｗｅｌｌｐｏｉｎｔ  Ｈｅａｌｔｈ  Ｎｅｔｗｏｒｋｓは、１３百万人の会員を有する。Ｗｅｌｌｐｏｉｎｔは、２００２年第１四半期に１４１百万ドルの純利益を有する。Ｗｅｌｌｐｏｉｎｔは、２００２年に少なくとも５６４百万ドルの純利益を有すると仮定される。ファンドは、当該ファンドの１年目にＷｅｌｌｐｏｉｎｔの純利益に１，４６０，１６０百万ドルを追加することができる。２５倍の株価収益を想定して、Ｗｅｌｌｐｏｉｎｔは、ファンドの直接的結果として、３６，５０４百万ドルだけその市場価値を増やすことができる。
【００６１】
現在、Ｗｅｌｌｐｏｉｎｔは、１０，７５０百万ドルの時価総額を有する。初年度に、ファンドは、この市場価値を４７，２５４百万ドルに増大させ、これは４４０％の市場価値の増大に匹敵する。
・第２年度
期初における市場価値（ＭＶ）：４７，２５４百万ドル
ファンドからの期末におけるＰ／Ｅ乗数：３６，５０４百万ドル
期初ＭＶ（４７，２５４百万ドル）＋Ｐ／Ｅ乗数（３６，５０４百万ドル）＝期末ＭＶ：８３，７５８百万ドル
・第３年度
期初における市場価値（ＭＶ）：８３，７５８百万ドル
ファンドからの期末におけるＰ／Ｅ乗数：３６，５０４百万ドル
期初ＭＶ（８３，７５８百万ドル）＋Ｐ／Ｅ乗数（３６，５０４百万ドル）＝期末ＭＶ：１２０，２６２百万ドル
・第４年度
期初における市場価値（ＭＶ）：１２０，２６２百万ドル
ファンドからの期末におけるＰ／Ｅ乗数：３６，５０４百万ドル
期初ＭＶ（１２０，２６２百万ドル）＋Ｐ／Ｅ乗数（３６，５０４百万ドル）＝期末ＭＶ：１５６，７６６百万ドル
・第５年度
期初における市場価値（ＭＶ）：１５６，７６６百万ドル
ファンドからの期末におけるＰ／Ｅ乗数：３６，５０４百万ドル
期初ＭＶ（１５６，７６６百万ドル）＋Ｐ／Ｅ乗数（３６，５０４百万ドル）＝期末ＭＶ：１９３，２７０百万ドル
・第６年度
期初における市場価値（ＭＶ）：１９３，２７０百万ドル
ファンドからの期末におけるＰ／Ｅ乗数：３６，５０４百万ドル
期初ＭＶ（１９３，２７０百万ドル）＋Ｐ／Ｅ乗数（３６，５０４百万ドル）＝期末ＭＶ：２２９，７７４百万ドル
・第７年度
期初における市場価値（ＭＶ）：２２９，７７４百万ドル
ファンドからの期末におけるＰ／Ｅ乗数：３６，５０４百万ドル
期初ＭＶ（２２９，７７４百万ドル）＋Ｐ／Ｅ乗数（３６，５０４百万ドル）＝期末ＭＶ：２６６，２７８百万ドル
・第８年度
期初における市場価値（ＭＶ）：２６６，２７８百万ドル
ファンドからの期末におけるＰ／Ｅ乗数：３６，５０４百万ドル
期初ＭＶ（２６６，２７８百万ドル）＋Ｐ／Ｅ乗数（３６，５０４百万ドル）＝期末ＭＶ：３０２，７８２百万ドル
・第９年度
期初における市場価値（ＭＶ）：３０２，７８２百万ドル
ファンドからの期末におけるＰ／Ｅ乗数：３６，５０４百万ドル
期初ＭＶ（３０２，７８２百万ドル）＋Ｐ／Ｅ乗数（３６，５０４百万ドル）＝期末ＭＶ：３３９，２８６百万ドル
・第１０年度
期初における市場価値（ＭＶ）：３３９，２８６百万ドル
ファンドからの期末におけるＰ／Ｅ乗数：３６，５０４百万ドル
期初ＭＶ（３３９，２８６百万ドル）＋Ｐ／Ｅ乗数（３６，５０４百万ドル）＝期末ＭＶ：３７５，７９０百万ドル
・第１１年度
期初における市場価値（ＭＶ）：３７５，７９０百万ドル
ファンドからの期末におけるＰ／Ｅ乗数：３６，５０４百万ドル
期初ＭＶ（３７５，７９０百万ドル）＋Ｐ／Ｅ乗数（３６，５０４百万ドル）＝期末ＭＶ：４１２，２９４百万ドル
・第１２年度
期初における市場価値（ＭＶ）：４１２，２９４百万ドル
ファンドからの期末におけるＰ／Ｅ乗数：３６，５０４百万ドル
期初ＭＶ（４１２，２９４百万ドル）＋Ｐ／Ｅ乗数（３６，５０４百万ドル）＝期末ＭＶ：４４８，７９８百万ドル
・第１３年度
期初における市場価値（ＭＶ）：４４８，７９８百万ドル
ファンドからの期末におけるＰ／Ｅ乗数：３６，５０４百万ドル
期初ＭＶ（４４８，７９８百万ドル）＋Ｐ／Ｅ乗数（３６，５０４百万ドル）＝期末ＭＶ：４８５，３０２百万ドル
・第１４年度
期初における市場価値（ＭＶ）：４８５，３０２百万ドル
ファンドからの期末におけるＰ／Ｅ乗数：３６，５０４百万ドル
期初ＭＶ（４８５，３０２百万ドル）＋Ｐ／Ｅ乗数（３６，５０４百万ドル）＝期末ＭＶ：５２１，８０６百万ドル
・第１５年度
期初における市場価値（ＭＶ）：５２１，８０６百万ドル
ファンドからの期末におけるＰ／Ｅ乗数：３６，５０４百万ドル
期初ＭＶ（５２１，８０６百万ドル）＋Ｐ／Ｅ乗数（３６，５０４百万ドル）＝期末ＭＶ：５５８，３１０百万ドル
・第１６年度
期初における市場価値（ＭＶ）：５５８，３１０百万ドル
ファンドからの期末におけるＰ／Ｅ乗数：３６，５０４百万ドル
期初ＭＶ（５５８，３１０百万ドル）＋Ｐ／Ｅ乗数（３６，５０４百万ドル）＝期末ＭＶ：５９４，８１４百万ドル
・第１７年度
期初における市場価値（ＭＶ）：５９４，８１４百万ドル
ファンドからの期末におけるＰ／Ｅ乗数：３６，５０４百万ドル
期初ＭＶ（５９４，８１４百万ドル）＋Ｐ／Ｅ乗数（３６，５０４百万ドル）＝期末ＭＶ：６３１，３１０百万ドル
・第１８年度
期初における市場価値（ＭＶ）：６３１，３１０百万ドル
ファンドからの期末におけるＰ／Ｅ乗数：３６，５０４百万ドル
期初ＭＶ（６３１，３１０百万ドル）＋Ｐ／Ｅ乗数（３６，５０４百万ドル）＝期末ＭＶ：６６７，８２２百万ドル
・第１９年度
期初における市場価値（ＭＶ）：６６７，８２２百万ドル
ファンドからの期末におけるＰ／Ｅ乗数：３６，５０４百万ドル
期初ＭＶ（６６７，８２２百万ドル）＋Ｐ／Ｅ乗数（３６，５０４百万ドル）＝期末ＭＶ：７０４，３２６百万ドル
・第２０年度
期初における市場価値（ＭＶ）：７０４，３２６百万ドル
ファンドからの期末におけるＰ／Ｅ乗数：３６，５０４百万ドル
期初ＭＶ（７０４，３２６百万ドル）＋Ｐ／Ｅ乗数（３６，５０４百万ドル）＝期末ＭＶ：７４０，８３０百万ドル
・第２１年度
期初における市場価値（ＭＶ）：７４０，８３０百万ドル
ファンドからの期末におけるＰ／Ｅ乗数：３６，５０４百万ドル
期初ＭＶ（７４０，８３０百万ドル）＋Ｐ／Ｅ乗数（３６，５０４百万ドル）＝期末ＭＶ：７７７，３３４百万ドル
・第２２年度
期初における市場価値（ＭＶ）：７７７，３３４百万ドル
ファンドからの期末におけるＰ／Ｅ乗数：３６，５０４百万ドル
期初ＭＶ（７７７，３３４百万ドル）＋Ｐ／Ｅ乗数（３６，５０４百万ドル）＝期末ＭＶ：８１３，８３８百万ドル
・第２３年度
期初における市場価値（ＭＶ）：８１３，８３８百万ドル
ファンドからの期末におけるＰ／Ｅ乗数：３６，５０４百万ドル
期初ＭＶ（８１３，８３８百万ドル）＋Ｐ／Ｅ乗数（３６，５０４百万ドル）＝期末ＭＶ：８５０，３４２百万ドル
・第２４年度
期初における市場価値（ＭＶ）：８５０，３４２百万ドル
ファンドからの期末におけるＰ／Ｅ乗数：３６，５０４百万ドル
期初ＭＶ（８５０，３４２百万ドル）＋Ｐ／Ｅ乗数（３６，５０４百万ドル）＝期末ＭＶ：８８６，８４６百万ドル
・第２５年度
期初における市場価値（ＭＶ）：８８６，８４６百万ドル
ファンドからの期末におけるＰ／Ｅ乗数：３６，５０４百万ドル
期初ＭＶ（８８６，８４６百万ドル）＋Ｐ／Ｅ乗数（３６，５０４百万ドル）＝期末ＭＶ：９２３，３５０百万ドル。
【００６２】
ファンドの当初の２５年間において、Ｗｅｌｌｐｏｉｎｔ  Ｈｅａｌｔｈ  Ｎｅｔｗｏｒｋｓ  Ｉｎｃ．は、１０，７５０百万ドルから９２３，３５０百万ドルまで収入が増大し、これは８，５８９％の収入の増大に匹敵する。
【００６３】
ここで用いられた例は、本発明の潜在的効果を示している。ここで用いられた数字は例示のためのものであるということは理解されるであろう。しかしながら、当業者は、本発明がここには含まれない広範なパラメータ及び技術分野の範囲内で利用可能であるということを理解することができるであろう。
【００６４】
さらに、本発明は、ＨＭＯ産業以外にも適用することができるということが理解されるであろう。例えば、ウォールストリートジャーナルの記事によると、偽りの宣伝及び非開示により再発する債務に直面する次の産業であるアスベスト産業や食品産業などがあげられる。２００２年６月１３日のウォールストリートジャーナルの広告における「Ｓｈｅｌｌｙ  Ｂｒａｎｃｈ、Ｆｏｏｄ  Ｍａｋｅｒｓ  Ｇｅｔ  Ｄｅｆｅｎｓｉｖｅ  Ａｂｏｕｔ  Ｇａｉｎｓ  ｉｎ  Ｕ．Ｓ．Ｏｂｅｓｉｔｙ」を参照せよ。
【図面の簡単な説明】
【００６５】
【図１】図１は、本発明の一実施例によるフローチャートを示す。
【図１】
2005530244.tif 000002
【国際調査報告】
2005530244.tif 000003